【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
始動条件の成立にもとづいて各々を識別可能な複数種類の識別情報を可変表示可能な複数の可変表示部を有する可変表示装置を備え、全ての前記可変表示部において可変表示が終了して識別情報が停止したときに、特定の識別情報の組み合せが停止したことにもとづいて遊技者にとって有利な特定遊技状態に移行させる遊技機であって、
前記特定遊技状態に移行させるか否かを識別情報を停止させる以前に決定する事前決定手段と、
前記事前決定手段の決定にもとづいて、前記可変表示装置における識別情報の可変表示パターンを決定する可変表示パターン決定手段と、
前記可変表示パターン決定手段が決定した可変表示パターンにもとづいて、前記可変表示装置の識別情報を可変表示させ、その後停止させる表示制御手段と、を備え、
前記表示制御手段は、
全ての可変表示部の識別情報の可変表示を開始させる可変表示開始手段と、
可変表示する各々の可変表示部毎に識別情報を時間差をもって仮停止させ、その後仮停止した全ての可変表示部の識別情報を停止させる識別情報停止手段と、
前記可変表示部のうち最後に識別情報が仮停止する最終仮停止可変表示部を除く前記可変表示部の少なくとも一部において識別情報が仮停止してから前記最終仮停止可変表示部に識別情報が仮停止するまでの間に、一部の可変表示部において仮停止した識別情報の可変表示を再開させ、その後当該仮停止した識別情報とは異なる識別情報を仮停止させる識別情報変更演出を実行する識別情報変更手段と、
前記識別情報変更手段により前記識別情報変更演出が実行された後、前記全ての可変表示部の識別情報を仮停止させて、その後前記全ての可変表示部の識別情報の可変表示を再開させる再可変表示手段と、を備える
ことを特徴とする遊技機。
【請求項２】
前記識別情報変更手段は、前記最終仮停止可変表示部を除く可変表示部の識別情報を仮停止させた時点でリーチ状態を形成し、当該リーチ状態を形成する一部の可変表示部において仮停止した識別情報の可変表示を再開させ、その後当該仮停止した識別情報とは異なる識別情報を仮停止させる識別情報変更演出を実行する
ことを特徴とする請求項１に記載の遊技機。
【請求項３】
始動条件の成立にもとづいて各々を識別可能な複数種類の識別情報を可変表示可能な複数の可変表示部を有する可変表示装置を備え、全ての前記可変表示部において可変表示が終了して識別情報が停止したときに、特定の識別情報の組み合せが停止したことにもとづいて遊技者にとって有利な特定遊技状態に移行させる遊技機であって、
前記特定遊技状態に移行させるか否かを識別情報を停止させる以前に決定する事前決定手段と、
前記事前決定手段の決定にもとづいて、前記可変表示装置における識別情報の可変表示パターンを決定する可変表示パターン決定手段と、
前記可変表示パターン決定手段が決定した可変表示パターンにもとづいて、前記可変表示装置の識別情報を可変表示させ、その後停止させる表示制御手段と、を備え、
前記表示制御手段は、
全ての可変表示部の識別情報の可変表示を開始させる可変表示開始手段と、
可変表示する各々の可変表示部毎に識別情報を時間差をもって仮停止させ、その後仮停止した全ての可変表示部の識別情報を停止させる識別情報停止手段と、
前記可変表示部のうち最後に識別情報が仮停止する最終仮停止可変表示部を除く前記可変表示部の少なくとも一部において、当該可変表示部に前記仮停止手段が識別情報を仮停止させる前の所定のタイミングから、通常可変表示態様、または、当該通常可変表示態様と一部のみが共通する特定可変表示態様で可変表示を行う可変表示態様実行手段と、
前記可変表示態様実行手段により前記通常可変表示態様で可変表示が実行された場合と、前記特定可変表示態様で可変表示が実行された場合と、で当該可変表示が実行された前記可変表示部に異なる識別情報を仮停止させる仮停止手段と、
前記可変表示態様実行手段により前記特定可変表示態様で可変表示が実行され、前記仮停止手段により前記可変表示部に前記識別情報が仮停止された後、前記全ての可変表示部の識別情報を仮停止させて、その後前記全ての可変表示部の識別情報の可変表示を再開させる再可変表示手段と、を備える
ことを特徴とする遊技機。
【請求項４】
前記再可変表示手段は、前記全ての可変表示部の識別情報を予め定められた特殊組み合わせで仮停止させて、その後前記全ての可変表示部の識別情報の可変表示を再開させる
ことを特徴とする請求項１から３のいずれか１項に記載の遊技機。
【請求項５】
前記識別情報停止手段は、前記再可変表示手段が前記全ての可変表示部の識別情報の可変表示を再開させた後、前記最終仮停止可変表示部を除く可変表示部の識別情報を仮停止させた時点でリーチ状態を形成する
ことを特徴とする請求項１から４のいずれか１項に記載の遊技機。
【請求項６】
前記事前決定手段において前記特定遊技状態に移行させないと決定したときに、リーチ状態とするか否かを決定するリーチ状態判定手段と、
前記事前決定手段において前記特定遊技状態に移行させないと決定され、かつ前記リーチ状態判定手段においてリーチ状態とすることが決定された場合に、リーチ状態とした後に前記最終仮停止可変表示部において停止される識別情報である最終停止識別情報と、当該最終停止識別情報以外の識別情報と、の差分を決定するための差分決定テーブルにもとづいて当該最終停止識別情報を決定する識別情報決定手段と、
をさらに備えることを特徴とする請求項１から５のいずれか１項に記載の遊技機。
【請求項７】
前記差分決定テーブルは、少なくとも第１差分決定テーブルと、当該第１差分決定テーブルよりも小さい差分が選択される割合が高い第２差分決定テーブルと、を含み、
前記識別情報決定手段は、前記再可変表示手段が前記全ての可変表示部の識別情報の可変表示を再開させた後に発生するリーチ状態においては前記第２差分決定用テーブルにもとづいて最終停止識別情報を決定する
ことを特徴とする請求項６に記載の遊技機。
【手続補正２】
【補正対象書類名】明細書
【補正対象項目名】０００８
【補正方法】変更
【補正の内容】
【０００８】
本発明による遊技機は、始動条件の成立（例えば、始動入賞口１４に入賞すること）にもとづいて各々を識別可能な複数種類の識別情報（例えば左・中・右の飾り図柄）を可変表示可能な複数の可変表示部（例えば、左・中・右の表示領域）を有する可変表示装置（例えば可変表示装置９）を備え、全ての前記可変表示部において可変表示が終了して識別情報が停止したときに、特定の識別情報の組み合せ（例えば大当り図柄）が停止したことにもとづいて遊技者にとって有利な特定遊技状態（例えば大当り遊技状態）に移行させる遊技機（例えばパチンコ遊技機１）であって、特定遊技状態に移行させるか否かを識別情報を停止させる以前に決定する事前決定手段（例えば、遊技制御用マイクロコンピュータ５６０におけるステップＳ５７〜Ｓ５９を実行する部分）と、事前決定手段の決定にもとづいて、可変表示装置における識別情報の可変表示パターンを決定する可変表示パターン決定手段（例えば、遊技制御用マイクロコンピュータ５６０におけるステップＳ２０１〜Ｓ２０７を実行する部分）と、可変表示パターン決定手段が決定した可変表示パターンにもとづいて、可変表示装置の識別情報を可変表示させ、その後停止させる表示制御手段（例えば、演出制御用マイクロコンピュータ１００）と、を備え、表示制御手段は、全ての可変表示部の識別情報の可変表示を開始させる可変表示開始手段（例えば、演出制御用マイクロコンピュータ１００におけるステップＳ８０１の飾り図柄変動開始処理を実行する部分）と、可変表示する各々の可変表示部毎に識別情報を時間差をもって仮停止させ、その後仮停止した全ての可変表示部の識別情報を停止させる識別情報停止手段（例えば、演出制御用マイクロコンピュータ１００におけるステップＳ８０３の飾り図柄変動停止処理を実行する部分）と、可変表示部のうち最後に識別情報が仮停止する最終仮停止可変表示部（例えば、可変表示装置９における中の表示領域）を除く可変表示部の少なくとも一部において識別情報が仮停止してから最終仮停止可変表示部に識別情報が仮停止するまでの間に、一部の可変表示部において仮停止した識別情報の可変表示を再開させ、その後当該仮停止した識別情報とは異なる識別情報を仮停止させる識別情報変更演出（例えば、すべり演出）を実行する識別情報変更手段（例えば、演出制御用マイクロコンピュータ１００がステップＳ１２１４にて決定した図柄からステップＳ１２１６にて決定した図柄に変更するすべり演出を実行する部分）と、識別情報変更手段により識別情報変更演出が実行された後、全ての可変表示部の識別情報を仮停止させて、その後全ての可変表示部の識別情報の可変表示を再開させる再可変表示手段（例えば、演出制御用マイクロコンピュータ１００がステップＳ１２１２、Ｓ１２１６、Ｓ１２１８にて決定した仮停止図柄を仮停止させた後に擬似連変動を実行する部分）と、を備えることを特徴とする。
【手続補正３】
【補正対象書類名】明細書
【補正対象項目名】０００９
【補正方法】変更
【補正の内容】
【０００９】
前記識別情報変更手段は、前記最終仮停止可変表示部を除く可変表示部の識別情報を仮停止させた時点でリーチ状態を形成し、当該リーチ状態を形成する一部の可変表示部において仮停止した識別情報の可変表示を再開させ、その後当該仮停止した識別情報とは異なる識別情報を仮停止させる識別情報変更演出（例えば、図１０４（Ｄ）（Ｅ）や図１０５（Ｄ）（Ｅ）に示す変動）を実行するように構成されてもよい。
【手続補正４】
【補正対象書類名】明細書
【補正対象項目名】００１０
【補正方法】変更
【補正の内容】
【００１０】
本発明による他の遊技機は、始動条件の成立（例えば、始動入賞口１４に入賞すること）にもとづいて各々を識別可能な複数種類の識別情報（例えば左・中・右の飾り図柄）を可変表示可能な複数の可変表示部（例えば、左・中・右の表示領域）を有する可変表示装置（例えば可変表示装置９）を備え、全ての前記可変表示部において可変表示が終了して識別情報が停止したときに、特定の識別情報の組み合せ（例えば大当り図柄）が停止したことにもとづいて遊技者にとって有利な特定遊技状態（例えば大当り遊技状態）に移行させる遊技機（例えばパチンコ遊技機１）であって、特定遊技状態に移行させるか否かを識別情報を停止させる以前に決定する事前決定手段（例えば、遊技制御用マイクロコンピュータ５６０におけるステップＳ５７〜Ｓ５９を実行する部分）と、事前決定手段の決定にもとづいて、可変表示装置における識別情報の可変表示パターンを決定する可変表示パターン決定手段（例えば、遊技制御用マイクロコンピュータ５６０におけるステップＳ２０１〜Ｓ２０７を実行する部分）と、可変表示パターン決定手段が決定した可変表示パターンにもとづいて、可変表示装置の識別情報を可変表示させ、その後停止させる表示制御手段（例えば、演出制御用マイクロコンピュータ１００）と、を備え、表示制御手段は、全ての可変表示部の識別情報の可変表示を開始させる可変表示開始手段（例えば、演出制御用マイクロコンピュータ１００におけるステップＳ８０１の飾り図柄変動開始処理を実行する部分）と、可変表示する各々の可変表示部毎に識別情報を時間差をもって仮停止させ、その後仮停止した全ての可変表示部の識別情報を停止させる識別情報停止手段（例えば、演出制御用マイクロコンピュータ１００におけるステップＳ８０３の飾り図柄変動停止処理を実行する部分）と、可変表示部のうち最後に識別情報が仮停止する最終仮停止可変表示部（例えば、可変表示装置９における中の表示領域）を除く可変表示部の少なくとも一部において、当該可変表示部に仮停止手段が識別情報を仮停止させる前の所定のタイミングから、通常可変表示態様（例えば、図１０７（Ｄ）（Ｅ）に示す態様）、または、当該通常可変表示態様と一部のみが共通する特定可変表示態様（例えば、図１０８（Ｄ）〜（Ｆ）に示す態様や図１０９（Ｄ）〜（Ｇ）に示す態様）で可変表示を行う可変表示態様実行手段（例えば、演出制御用マイクロコンピュータ１００がステップＳ８０２の飾り図柄変動中処理にて通常可変表示態様や特定可変表示態様で可変表示を実行する部分）と、可変表示態様実行手段により通常可変表示態様で可変表示が実行された場合と、特定可変表示態様で可変表示が実行された場合と、で当該可変表示が実行された可変表示部に異なる識別情報を仮停止させる仮停止手段（例えば、演出制御用マイクロコンピュータ１００が通常可変表示態様では、図１０７（Ｄ）（Ｅ）に示すように、「５」から右図柄をスロー表示させて「７」を仮停止させ、また、特定可変表示態様では、図１０８（Ｄ）〜（Ｆ）や図１０９（Ｄ）〜（Ｇ）に示すように、「５」から右図柄をスロー表示させて「８」を仮停止させる部分）と、可変表示態様実行手段により特定可変表示態様で可変表示が実行され、仮停止手段により可変表示部に識別情報が仮停止された後、全ての可変表示部の識別情報を仮停止させて、その後全ての可変表示部の識別情報の可変表示を再開させる再可変表示手段（例えば、演出制御用マイクロコンピュータ１００がステップＳ１２１２、Ｓ１２１６、Ｓ１２１８にて決定した仮停止図柄を仮停止させた後に擬似連変動を実行する部分）と、を備えることを特徴とする。
【手続補正５】
【補正対象書類名】明細書
【補正対象項目名】００１１
【補正方法】変更
【補正の内容】
【００１１】
再可変表示手段は、全ての可変表示部の識別情報を予め定められた特殊組み合わせ（例えば、チャンス目）で仮停止させて、その後全ての可変表示部の識別情報の可変表示を再開させるように構成されてもよい。
識別情報停止手段は、再可変表示手段が全ての可変表示部の識別情報の可変表示を再開させた後、最終仮停止可変表示部を除く可変表示部の識別情報を仮停止させた時点でリーチ状態（例えば、図１０４（Ｉ）、図１０５（Ｉ）、図１０６（Ｉ）、図１０８（Ｊ）、図１０９（Ｋ）でリーチ状態とする）を形成するように構成されてもよい。
【手続補正６】
【補正対象書類名】明細書
【補正対象項目名】００１２
【補正方法】変更
【補正の内容】
【００１２】
事前決定手段において特定遊技状態に移行させないと決定したとき（例えば、遊技制御用マイクロコンピュータ５６０におけるステップＳ５９のＮのとき）に、リーチ状態とするか否かを決定するリーチ状態判定手段（例えば、遊技制御用マイクロコンピュータ５６０におけるステップＳ６４、Ｓ６５を実行する部分）と、事前決定手段において特定遊技状態に移行させないと決定され（例えば、遊技制御用マイクロコンピュータ５６０におけるステップＳ５９のＮのとき）、かつリーチ状態判定手段においてリーチ状態とすることが決定された場合（例えば、遊技制御用マイクロコンピュータ５６０におけるステップＳ６５にてリーチを伴う変動パターンに決定された場合）に、リーチ状態とした後に最終仮停止可変表示部において停止される識別情報である最終停止識別情報と、当該最終停止識別情報以外の識別情報と、の差分を決定するための差分決定テーブル（例えば、ノーマルはずれ時中図柄選択用テーブル（Ｈ−４）やスーパー発展時中図柄選択用テーブル（Ｈ−５））にもとづいて当該最終停止識別情報を決定する識別情報決定手段（例えば、演出制御用マイクロコンピュータ１００におけるステップＳ１０３１、Ｓ１０３６を実行する部分）と、をさらに備えるように構成されてもよい。
【手続補正７】
【補正対象書類名】明細書
【補正対象項目名】００１３
【補正方法】変更
【補正の内容】
【００１３】
差分決定テーブルは、少なくとも第１差分決定テーブル（例えば、ノーマルはずれ時中図柄選択用テーブル（Ｈ−４））と、該第１差分決定テーブルよりも小さい差分が選択される割合が高い第２差分決定テーブル（スーパー発展時中図柄選択用テーブル（Ｈ−５））と、を含み、識別情報決定手段は、再可変表示手段が全ての可変表示部の識別情報の可変表示を再開させた後に発生するリーチ状態においては第２差分決定用テーブルにもとづいて最終停止識別情報を決定する（例えば、演出制御用マイクロコンピュータ１００におけるステップＳ１０３６を実行する部分）ように構成されてもよい。
【手続補正８】
【補正対象書類名】明細書
【補正対象項目名】００１４
【補正方法】変更
【補正の内容】
【００１４】
請求項１記載の発明では、表示制御手段は、全ての可変表示部の識別情報の可変表示を開始させる可変表示開始手段と、可変表示する各々の可変表示部毎に識別情報を時間差をもって仮停止させ、その後仮停止した全ての可変表示部の識別情報を停止させる識別情報停止手段と、可変表示部のうち最後に識別情報が仮停止する最終仮停止可変表示部を除く可変表示部の少なくとも一部において識別情報が仮停止してから最終仮停止可変表示部に識別情報が仮停止するまでの間に、一部の可変表示部において仮停止した識別情報の可変表示を再開させ、その後当該仮停止した識別情報とは異なる識別情報を仮停止させる識別情報変更演出を実行する識別情報変更手段と、識別情報変更手段により識別情報変更演出が実行された後、全ての可変表示部の識別情報を仮停止させて、その後全ての可変表示部の識別情報の可変表示を再開させる再可変表示手段と、を備える。
また、請求項３記載の発明では、表示制御手段は、全ての可変表示部の識別情報の可変表示を開始させる可変表示開始手段と、可変表示する各々の可変表示部毎に識別情報を時間差をもって仮停止させ、その後仮停止した全ての可変表示部の識別情報を停止させる識別情報停止手段と、可変表示部のうち最後に識別情報が仮停止する最終仮停止可変表示部を除く可変表示部の少なくとも一部において、当該可変表示部に仮停止手段が識別情報を仮停止させる前の所定のタイミングから、通常可変表示態様、または、当該通常可変表示態様と一部のみが共通する特定可変表示態様で可変表示を行う可変表示態様実行手段と、可変表示態様実行手段により通常可変表示態様で可変表示が実行された場合と、特定可変表示態様で可変表示が実行された場合と、で当該可変表示が実行された可変表示部に異なる識別情報を仮停止させる仮停止手段と、可変表示態様実行手段により特定可変表示態様で可変表示が実行され、仮停止手段により可変表示部に識別情報が仮停止された後、全ての可変表示部の識別情報を仮停止させて、その後全ての可変表示部の識別情報の可変表示を再開させる再可変表示手段と、を備える。仮停止している一部の識別情報が再変動したり、特定可変表示態様で可変表示が実行されたことで、遊技者は再変動が継続されることを認識でき、興趣の向上が図れる。
【手続補正９】
【補正対象書類名】明細書
【補正対象項目名】００１５
【補正方法】変更
【補正の内容】
【００１５】
請求項２記載の発明では、識別情報変更手段は、最終仮停止可変表示部を除く可変表示部の識別情報を仮停止させた時点でリーチ状態を形成し、当該リーチ状態を形成する一部の可変表示部において仮停止した識別情報の可変表示を再開させ、その後当該仮停止した識別情報とは異なる識別情報を仮停止させる識別情報変更演出を実行する。このように、リーチ状態を表示して、再変動態様が継続しないと遊技者に認識させた後に一部の識別情報が再変動し、再び全ての識別情報が再変動するので、より一層興趣の向上が図れる。
【手続補正１０】
【補正対象書類名】明細書
【補正対象項目名】００１６
【補正方法】変更
【補正の内容】
【００１６】
請求項４記載の発明では、再可変表示手段は、全ての可変表示部の識別情報を予め定められた特殊組み合わせで仮停止させて、その後全ての可変表示部の識別情報の可変表示を再開させる。特殊組み合わせにより、再変動態様が継続することを認識できるので、遊技性の向上が図れる。
【手続補正１１】
【補正対象書類名】明細書
【補正対象項目名】００１７
【補正方法】変更
【補正の内容】
【００１７】
請求項５記載の発明では、識別情報停止手段は、再可変表示手段が全ての可変表示部の識別情報の可変表示を再開させた後、最終仮停止可変表示部を除く可変表示部の識別情報を仮停止させた時点でリーチ状態を形成する。このように、再変動態様を実施した後にリーチ状態を表示することにより、より一層興趣の向上が図れる。
【手続補正１２】
【補正対象書類名】明細書
【補正対象項目名】００１８
【補正方法】変更
【補正の内容】
【００１８】
請求項６記載の発明では、事前決定手段において特定遊技状態に移行させないと決定したときに、リーチ状態とするか否かを決定するリーチ状態判定手段と、事前決定手段において特定遊技状態に移行させないと決定され、かつリーチ状態判定手段においてリーチ状態とすることが決定された場合に、リーチ状態とした後に最終仮停止可変表示部において停止される識別情報である最終停止識別情報と、当該最終停止識別情報以外の識別情報と、の差分を決定するための差分決定テーブルにもとづいて当該最終停止識別情報を決定する識別情報決定手段と、をさらに備える。これにより、差分決定テーブルの設定値に応じて、特定の識別情報の組み合せ（大当り図柄）に近い表示結果となる割合を高くしたり、大当り図柄には遠い表示結果となる割合を高くしたりすることができ、遊技性を豊富にすることができる。
【手続補正１３】
【補正対象書類名】明細書
【補正対象項目名】００１９
【補正方法】変更
【補正の内容】
【００１９】
請求項７記載の発明では、差分決定テーブルは、少なくとも第１差分決定テーブルと、該第１差分決定テーブルよりも小さい差分が選択される割合が高い第２差分決定テーブルと、を含み、識別情報決定手段は、再可変表示手段が全ての可変表示部の識別情報の可変表示を再開させた後に発生するリーチ状態においては第２差分決定用テーブルにもとづいて最終停止識別情報を決定する。これにより、すべり演出を伴う擬似連続変動が発生するリーチ状態では、大当り（特定遊技状態）とならない場合であっても、大当り図柄（特定の識別情報の組み合せ）に近い（差分が小さい）識別情報が選択される割合を高めることができ、複数回変動パターンに対する遊技者の期待感をより高めることができる。